【手続補正書】
【提出日】平成31年2月19日(2019.2.19)
【手続補正１】
【補正対象書類名】特許請求の範囲
【補正対象項目名】全文
【補正方法】変更
【補正の内容】
【特許請求の範囲】
【請求項１】
加熱により膨張する膨張層を含む加工媒体の第１の表面であって、第１のパターンが電磁波エネルギーを熱エネルギーに変換する第１の材料で形成されている前記第１の表面と、
前記加工媒体の前記第１の表面の反対側の表面であって前記第１の表面よりも前記膨張層に近い第２の表面であって、前記第１のパターンによる前記膨張層の膨張を補完するように前記膨張層を膨張させるための第２のパターンが電磁波エネルギーを熱エネルギーに変換する第２の材料で形成されている前記第２の表面と、を備え、
前記第２のパターンは、前記加工媒体のうち前記第１のパターンの領域の外周縁に対応する部分に設けられ、前記第１のパターンが形成される領域に比べて狭い範囲で形成されることを特徴とする加工媒体。
【請求項２】
前記第１のパターンは、前記第１の表面において前記加工媒体の輪郭以外の領域に形成されることを特徴とする請求項１に記載の加工媒体。
【請求項３】
前記第１のパターンは、当該第１のパターンの端部から中心に向かって前記第２の材料の濃度が濃くなるように形成されていることを特徴とする請求項１又は２に記載の加工媒体。
【請求項４】
加熱により膨張する膨張層を含む被印刷媒体の第１の表面に電磁波エネルギーを熱エネルギーに変換する第１の材料で形成すべき第１のパターンである第１の濃度画像の画像データを取得し、
前記第１の濃度画像の画像データと前記被印刷媒体に基づいて、前記被印刷媒体の前記第１の表面の反対側の表面であって前記第１の表面よりも前記膨張層に近い第２の表面に、電磁波エネルギーを熱エネルギーに変換する第２の材料で形成すべき第２のパターンであって前記第１のパターンによる前記膨張層の膨張を補完するように前記膨張層を膨張させるための第２のパターンである第２の濃度画像の画像データを生成し、
前記第２のパターンは、前記被印刷媒体のうち前記第１のパターンの領域の外周縁に対応する部分に設けられ、前記第１のパターンが形成される領域に比べて狭い範囲で形成されることを特徴とするデータ生成方法。
【請求項５】
前記第２のパターンは、前記第１のパターンの幅の長さに基づいて形成されることを特徴とする請求項４に記載のデータ生成方法。
【請求項６】
前記第２のパターンは、前記第１のパターンが形成された領域に対応する前記膨張層の膨張高さに基づいて形成されることを特徴とする請求項５に記載のデータ生成方法。
【請求項７】
前記第２のパターンは、前記第１のパターンが形成された領域に対応する前記膨張層の膨張部分のエッジの長さ及び前記第１のパターンの幅の長さに基づいて形成されることを特徴とする請求項５に記載のデータ生成方法。
【請求項８】
前記第２の濃度画像は、前記被印刷媒体の種類に応じて生成されることを特徴とする請求項４乃至７のいずれか一項に記載のデータ生成方法。
【請求項９】
前記第２の濃度画像はグレースケールデータからなり、中心から外側に向かって階調値が低下するような階調分布を有することを特徴とする請求項４乃至８のいずれか一項に記載のデータ生成方法。
【請求項１０】
コンピュータを、
加熱により膨張する膨張層を含む被印刷媒体の第１の表面に電磁波エネルギーを熱エネルギーに変換する第１の材料で形成すべき第１のパターンである第１の濃度画像の画像データを取得する手段、
前記第１の濃度画像の画像データと前記被印刷媒体に基づいて、前記被印刷媒体の前記第１の表面の反対側の表面であって前記第１の表面よりも前記膨張層に近い第２の表面に、電磁波エネルギーを熱エネルギーに変換する第２の材料で形成すべき第２のパターンであって前記第１のパターンによる前記膨張層の膨張を補完するように前記膨張層を膨張させるための第２のパターンである第２の濃度画像の画像データを生成する手段として機能させ、
前記第２の濃度画像は、前記被印刷媒体のうち前記第１の濃度画像の領域の外周縁に対応する部分に設けられ、前記第１の濃度画像が形成される領域に比べて狭い範囲で形成されることを特徴とするプログラム。
【手続補正２】
【補正対象書類名】明細書
【補正対象項目名】発明の名称
【補正方法】変更
【補正の内容】
【発明の名称】加工媒体、データ生成方法、及びプログラム
【手続補正３】
【補正対象書類名】明細書
【補正対象項目名】０００１
【補正方法】変更
【補正の内容】
【０００１】
本発明は、加工媒体、データ生成方法、及びプログラムに関する。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】変更
【補正の内容】
【００１０】
本発明の態様は、加熱により膨張する膨張層を含む加工媒体の第１の表面であって、第１のパターンが電磁波エネルギーを熱エネルギーに変換する第１の材料で形成されている前記第１の表面と、前記加工媒体の前記第１の表面の反対側の表面であって前記第１の表面よりも前記膨張層に近い第２の表面であって、前記第１のパターンによる前記膨張層の膨張を補完するように前記膨張層を膨張させるための第２のパターンが電磁波エネルギーを熱エネルギーに変換する第２の材料で形成されている前記第２の表面と、を備え、前記第２のパターンは、前記加工媒体のうち前記第１のパターンの領域の外周縁に対応する部分に設けられ、前記第１のパターンが形成される領域に比べて狭い範囲で形成される加工媒体を提供する。
【手続補正８】
【補正対象書類名】明細書
【補正対象項目名】００１１
【補正方法】変更
【補正の内容】
【００１１】
本発明の別の態様は、加熱により膨張する膨張層を含む被印刷媒体の第１の表面に電磁波エネルギーを熱エネルギーに変換する第１の材料で形成すべき第１のパターンである第１の濃度画像の画像データを取得し、前記第１の濃度画像の画像データと前記被印刷媒体に基づいて、前記被印刷媒体の前記第１の表面の反対側の表面であって前記第１の表面よりも前記膨張層に近い第２の表面に、電磁波エネルギーを熱エネルギーに変換する第２の材料で形成すべき第２のパターンであって前記第１のパターンによる前記膨張層の膨張を補完するように前記膨張層を膨張させるための第２のパターンである第２の濃度画像の画像データを生成し、前記第２のパターンは、前記被印刷媒体のうち前記第１のパターンの領域の外周縁に対応する部分に設けられ、前記第１のパターンが形成される領域に比べて狭い範囲で形成されるデータ生成方法を提供する。
【手続補正９】
【補正対象書類名】明細書
【補正対象項目名】００１２
【補正方法】変更
【補正の内容】
【００１２】
本発明の更に別の態様は、コンピュータを、加熱により膨張する膨張層を含む被印刷媒体の第１の表面に電磁波エネルギーを熱エネルギーに変換する第１の材料で形成すべき第１のパターンである第１の濃度画像の画像データを取得する手段、前記第１の濃度画像の画像データと前記被印刷媒体に基づいて、前記被印刷媒体の前記第１の表面の反対側の表面であって前記第１の表面よりも前記膨張層に近い第２の表面に、電磁波エネルギーを熱エネルギーに変換する第２の材料で形成すべき第２のパターンであって前記第１のパターンによる前記膨張層の膨張を補完するように前記膨張層を膨張させるための第２のパターンである第２の濃度画像の画像データを生成する手段として機能させ、前記第２の濃度画像は、前記被印刷媒体のうち前記第１の濃度画像の領域の外周縁に対応する部分に設けられ、前記第１の濃度画像が形成される領域に比べて狭い範囲で形成されるプログラムを提供する。